(57)【特許請求の範囲】
【請求項１】
ケース内にスイッチが収容された携帯端末であって、
前記ケースは開口部を備え、
前記スイッチは、前記開口部の開口領域に面する第１位置と、前記第１位置よりも前記開口部の開口領域から外れた第２位置とで変位する操作部を備え、
前記スイッチと前記ケースとの間に、前記ケース内に収容される内部部品が介在しており、
前記操作部は、前記第２位置において、前記ケース又は前記内部部品のいずれかに覆われて隠れるようになっており、前記第１位置にあるときには前記開口部を介して当該開口部外部から操作を行うことができ、前記第２位置にあるときには少なくとも一部が前記ケースの裏側に隠れて外部操作が困難となることを特徴とする携帯端末。
【請求項２】
前記内部部品は、前記スイッチが実装される回路基板であり、
前記スイッチは、前記回路基板において前記開口部側とは反対側の面に実装されていることを特徴とする請求項１に記載の携帯端末。
【請求項３】
前記回路基板は、切欠部又は孔部を有し、
前記スイッチは、前記切欠部又は前記孔部に隣接して配置されており、
前記操作部は、前記第１位置において前記切欠部の切欠領域又は前記孔部の開口領域に面し、前記第２位置において前記切欠部又は前記孔部の周縁部に覆われて隠れることを特徴とする請求項２に記載の携帯端末。
【請求項４】
前記操作部は、前記第１位置と前記第２位置とで往復スライド動作することを特徴とする請求項１から請求項３のいずれか一項に記載の携帯端末。
【請求項５】
前記スイッチは、前記ケースが開放されたときに前記第２位置における隠蔽状態が解除され、前記第２位置から前記第１位置への操作が可能となることを特徴とする請求項１から請求項４のいずれか一項に記載の携帯端末。
【請求項６】
前記ケースが開封されたか否かを識別する識別手段を備え、
前記識別手段は、前記ケースが未開封のときに第１状態となり、前記ケースが開封されたときに前記第１状態とは異なる第２状態に変化することを特徴とする請求項１から請求項５のいずれか一項に記載の携帯端末。
【請求項７】
前記スイッチの操作履歴を記録する履歴記録手段を有することを特徴とする請求項１から請求項６のいずれか一項に記載の携帯端末。
【請求項８】
前記ケースには、前記開口部の前記開口領域を遮蔽する遮蔽部材が取り付けられており、
前記遮蔽部材は、前記ケースから取り外されたときに当該ケースに対して遮蔽解除履歴を残すものであることを特徴とする請求項１から請求項７のいずれか一項に記載の携帯端末。
【請求項９】
前記ケースには、主電源を収容する主電源収容部が設けられており、
前記開口部は、前記主電源収容部内において前記主電源に隠される位置に形成されていることを特徴とする請求項１から請求項８のいずれか一項に記載の携帯端末。
【請求項１０】
前記主電源とは異なる補助電源を有し、
前記スイッチは、前記補助電源からの電力供給のオンオフを切り替える機能を有することを特徴とする請求項９に記載の携帯端末。
【発明の詳細な説明】
【技術分野】
【０００１】
本発明は、携帯端末に関するものである。
【背景技術】
【０００２】
従来より、金融、クレジット等に関する決済処理を行う携帯端末が広く用いられている。この種の携帯端末では、重要な情報が扱われることが多いため、機器に対する不正操作を防止しうる構成、或いは不正操作が試みられた場合であっても被害を最小限に抑え得る構成が望まれている。
【特許文献１】特開２０００−３２２９７８
【特許文献２】特開２００１−８４８５８
【発明の開示】
【発明が解決しようとする課題】
【０００３】
ところで、上記のような携帯端末では、不正操作の対象となりやすいスイッチを内部に備えるものもあるが、従来はこのようなスイッチに対して適切な対策がなされていなかった。スイッチに関する技術として例えば特許文献１、２のような構成が提供されているが、上記特許文献１、２の技術は基本的にスイッチに対する誤動作を防止しようとするものであり、不正操作を十分考慮した構成とは言い難い。
【０００４】
スイッチとしての機能を確保しつつ不正操作を防止するには、スイッチを、外部操作容易な状態と、外部操作困難かつ視認困難な状態とに切り替えうるように構成することが望ましい。このようにすると、所定状態（外部操作容易な状態）においてはスイッチに対して必要操作を行うことができ、切り替え後にはスイッチが外部操作困難かつ視認困難となって不正操作を効果的に防止することができるようになる。
【０００５】
本発明は、上述した課題を解決するためになされたものであり、携帯端末のスイッチにおいて、スイッチとしての機能を適切に発揮し、かつ必要に応じて不正操作を防止できる構成を提供することを目的とする。
【課題を解決するための手段】
【０００６】
上記目的を達成するため、請求項１の発明は、ケース内にスイッチが収容された携帯端末であって、前記ケースは開口部を備え、前記スイッチは、前記開口部の開口領域に面する第１位置と、前記第１位置よりも前記開口部の開口領域から外れた第２位置とで変位する操作部を備え、
前記スイッチと前記ケースとの間に、前記ケース内に収容される内部部品が介在しており、
前記操作部は、前記第２位置において、前記ケース又は前記内部部品のいずれかに覆われて隠れるようになっており、前記第１位置にあるときには前記開口部を介して当該開口部外部から操作を行うことができ、前記第２位置にあるときには少なくとも一部が前記ケースの裏側に隠れて外部操作が困難となることを特徴とする。
【０００７】
請求項４の発明は、請求項１から請求項３のいずれか一項に記載の携帯端末において、前記操作部は、前記第１位置と前記第２位置とで往復スライド動作することを特徴とする。
【０００９】
請求項２の発明は、請求項１に記載の携帯端末において、前記内部部品は、前記スイッチが実装される回路基板であり、前記スイッチは、前記回路基板において前記開口部側とは反対側の面に実装されていることを特徴とする。
【００１０】
請求項３の発明は、請求項２に記載の携帯端末において、前記回路基板は、切欠部又は孔部を有し、前記スイッチは、前記切欠部又は前記孔部に隣接して配置されており、前記操作部は、前記第１位置において前記切欠部の切欠領域又は前記孔部の開口領域に面し、前記第２位置において前記切欠部又は前記孔部の周縁部に覆われて隠れることを特徴とする。
【００１１】
請求項５の発明は、請求項１から請求項４のいずれか一項に記載の携帯端末において、前記スイッチは、前記ケースが開放されたときに前記第２位置における隠蔽状態が解除され、前記第２位置から前記第１位置への操作が可能となることを特徴とする。
【００１２】
請求項６の発明は、請求項１から請求項５のいずれか一項に記載の携帯端末において、前記ケースが開封されたか否かを識別する識別手段を備え、前記識別手段は、前記ケースが未開封のときに第１状態となり、前記ケースが開封されたときに前記第１状態とは異なる第２状態に変化することを特徴とする。
【００１３】
請求項７の発明は、請求項１から請求項６のいずれか一項に記載の携帯端末において、前記スイッチの操作履歴を記録する履歴記録手段を有することを特徴とする。
【００１４】
請求項８の発明は、請求項１から請求項７のいずれか一項に記載の携帯端末において、前記ケースには、前記開口部の前記開口領域を遮蔽する遮蔽部材が取り付けられており、
前記遮蔽部材は、前記ケースから取り外されたときに当該ケースに対して遮蔽解除履歴を残すものであることを特徴とする。
【００１５】
請求項９の発明は、請求項１から請求項８のいずれか一項に記載の携帯端末において、前記ケースには、主電源を収容する主電源収容部が設けられており、前記開口部は、前記主電源収容部内において前記主電源に隠される位置に形成されていることを特徴とする。
【００１６】
請求項１０の発明は、請求項９に記載の携帯端末において、前記主電源とは異なる補助電源を有し、前記スイッチは、前記補助電源からの電力供給のオンオフを切り替える機能を有することを特徴とする。
【発明の効果】
【００１７】
請求項１の発明では、ケース内に収容されたスイッチが、ケースに形成された開口部の開口領域に面する第１位置と、開口部の開口領域から少なくとも一部が外れた第２位置とで変位する操作部を備えている。従って、操作部が第１位置にあるときには開口部を介して操作部にアクセスでき、開口部外部からスイッチ操作を行うことができる。一方、操作部が第２位置にあるときには当該操作部がケースの裏側に隠れて外部操作困難かつ視認困難となるため、第１位置から第２位置へ切り替わった後には外部操作を効果的に防止でき、不正操作を防止することができる。
また、スイッチとケースとの間にケース内に収容される内部部品が介在しており、第２位置において操作部がケース又は内部部品のいずれかに覆われて隠れるように構成されている。このようにすれば、内部部品を利用して不正操作を防止することができる。
【００１８】
請求項４の発明は、操作部が第１位置と第２位置とで往復スライド動作するように構成されている。このようにすれば、第１位置から第２位置への切り替え操作を容易に行うことができるようになる。
【００２０】
請求項２の発明では、スイッチが回路基板における開口部側とは反対側の面に実装されており、第２位置において操作部が回路基板に覆われて隠れるように構成されている。このようにすれば、特別な遮蔽部材を用いずにスイッチが実装される回路基板を効果的に利用して不正操作を防止することができる。
【００２１】
請求項３の発明では、第１位置において、操作部が切欠部の切欠領域又は孔部の開口領域に面し、第２位置において、操作部が切欠部又は孔部の周縁部に覆われて隠れるように構成されている。このようにすれば、第１位置において外部操作しやすくなり、第２位置において外部操作困難かつ視認困難となる構成を、複雑な構成を用いずに簡易に実現できる。
【００２２】
請求項５の発明では、ケースが開放されたときに第２位置での隠蔽状態が解除され、第２位置から第１位置への操作が可能となるように構成されている。このようにすれば、第２位置から第１位置への再復帰が可能となり、必要に応じて第１位置に設定し直すことができる。また、第２位置から第１位置へ復帰操作する際に大掛かりな分解操作が必要となるため、不正操作による簡易な再復帰を抑制しやすくなる。
【００２３】
請求項６の発明は、ケースが開封されたか否かを識別する識別手段が設けられており、識別手段は、ケースが未開封のときに第１状態となり、ケースが開封されたときに第１状態とは異なる第２状態に変化するように構成されている。このようにすれば、第１位置へ復帰させる操作が行われたか否かを識別手段によって容易に判別でき、意図しない不正操作が行われたか否かを迅速かつ容易に察知できる。
【００２４】
請求項７の発明では、スイッチの操作履歴を記録する履歴記録手段が設けられているため、万が一、スイッチに対して不正操作がなされたとしてもその事実を後から確認できるようになる。
【００２５】
請求項８の発明では、ケースにおいて開口部の開口領域を遮蔽する遮蔽部材が取り付けられており、この遮蔽部材は、ケースから取り外されたときに当該ケースに対して遮蔽解除履歴を残す構成となっている。このようにすると、開口部側からの不正操作を効果的に抑制でき、仮に遮蔽部材を取り外して不正操作がなされようとした場合であっても、そのような不正操作の事実を後から容易に把握できるようになる。
【００２６】
請求項９の発明では、ケースにおいて主電源を収容する主電源収容部が設けられており、主電源収容部内における主電源に隠される位置に開口部が形成されている。このようにすれば、開口部が常に外部に露出するのではなく、主電源の取り外し操作を行って初めて露出するようになるため、より一層不正操作が行われにくくなる。
【００２７】
請求項１０の発明は、主電源とは異なる補助電源を有しており、補助電源からの電力供給のオンオフを切り替えるようにスイッチが構成されている。このような構成のものにおいて、スイッチに上記不正操作対策を講ずれば、不正操作によって補助電源からの電力供給をオン又はオフさせたくない構成のものにおいて特に有利となる。
【発明を実施するための最良の形態】
【００２８】
[第１実施形態]
以下、本発明の携帯端末を具現化した第１実施形態について、図面を参照して説明する。図１は、本発明の第１実施形態に係る携帯端末を概略的に例示する概観図であり、電池蓋及び電池を取り外した状態を裏面側から見た図である。図２は、図１からシールを取り外した状態を説明する説明図である。図３は、ケース、電池、電池収容部、回路基板の配置を説明する断面概略図である。図４は、開口部付近の様子を説明する断面概略図である。図５は、電池収容部内を下側から見た概略図である。図６は、回路基板及び下ケースの様子を表側から説明する説明図である。図７は、電池及び補助電源からの電力供給の様子を概略的に説明する回路図である。図８は、履歴記録回路の一例を概略的に示す回路図である。
【００２９】
１．全体構成
まず、携帯端末１の全体構成について説明する。
図１〜図３に示す携帯端末１は、例えばバーコードリーダ、二次元コードリーダ等の光学的情報読取装置、或いはＩＣカード等を読み取る決済端末などとして構成されるものである。なお、以下では本発明を光学的情報読取装置に適用した場合を例に挙げて説明するが、決済端末等の他種の携帯端末でも同様に構成できる。
【００３０】
図１〜図３に示すように、携帯端末１は、ケース２内に電池３を収容してなるものであり、この電池３を電源としてケース２内に収容される各種電気部品が動作するように構成されている。ケース２は、携帯端末１の外郭を構成するものであり、このケース２に対して電池３が着脱可能に構成されている。なお、図１では、電池３の収容位置を二点鎖線にて概略的に示している。
【００３１】
ケース２は、上ケース２ａと下ケース２ｂとによって構成されており、これら上ケース２ａ及び下ケース２ｂがねじ等の連結部材によって互いに結合する構成をなしている。なお、本実施形態の携帯端末１では、厚さ方向において電池３が収容される側を下方、それとは反対側を上方としており、上方側に図示しない液晶表示器や操作ボタンが配置される構成をなしている。図３を参照して詳述すると、回路基板１０の板厚方向が携帯端末１の上下方向に相当しており、回路基板１０の一方の板面１０ａ側が上方、他方の板面１０ｂ側が下方となっている。
【００３２】
電池３は、例えばリチウムイオン電池、ニッケル水素電池、ニッケルカドミウム電池等の二次電池によって構成されており、図１、図３のように、装着時にはケース２に形成された電池収容部５０内に収容されて保持される構成となっている。この電池３は、例えば図７のように電源回路としてのレギュレータ１７が接続されて各種電気部品に対して電力を供給する構成をなしている。なお、本実施形態では、図７のように電池３のみによって電力供給を行う電力ライン３０ｂと、電池３及び補助電源５のいずれかによって電力供給を行う電力ライン３０ａとが構成されており、各電力ライン３０ａ、３０ｂにそれぞれ各種電気部品が接続されるようになっている。なお、電力ライン３０ａには、ＲＡＭ、不揮発性メモリ（ＥＥＰＲＯＭ等）の記憶手段や、ＣＰＵなどが接続されており、電池３が取り外されても記憶動作を行い得るように構成されている。
本実施形態では、電池３が「主電源」の一例に相当する。
【００３３】
ケース２に形成された電池収容部５０は、「主電源収容部」の一例に相当し、主電源としての電池３を収容して保持するように機能する。この電池収容部５０は、図１、図３のように一方が開口する箱状形態をなしており、電池３の四方を取り囲む側壁部５２、５３、５４、５５と、電池３の一方面を支持する底壁部５１とを備えている。また、電池収容部５０の開口は、ケース２に対して着脱し得るように構成された電池蓋５７によって閉塞される構成となっている。電池３収容時には、電池３の厚さ方向一方面が底壁部５１によって支持され厚さ方向他方面が電池蓋５７によって支持されて厚さ方向の保持がなされている。また、横方向（回路基板１０板面と平行方向）については、側壁部５２、５３、５４、５５によって電池３の周囲が取り囲まれて支持され、移動が拘束されるようになっている。
【００３４】
一方、携帯端末１のケース２内には、スイッチ４が設けられている。図２、図４〜図６に示すように、このスイッチ４は、往復スライド動作可能な操作部４ａを備えており、この操作部４ａの位置に応じて回路の所定位置をオン状態とオフ状態とに切り替えるように機能する。具体的には図６に例示されるように、スイッチ４がオン状態のときに補助電源５から電力供給し得る状態となり、スイッチ４がオフ状態のときに補助電源５からの電力供給が遮断されるようになっている。本実施形態では、ケース２において開口部５１ａが形成されており、この開口部５１ａ付近にスイッチ４が配置されて開口部５１ａを介した操作を行い得るように構成されている。開口部５１ａは、電池収容部５０内において電池３０に隠される位置（具体的には底壁部５１）に形成されており、電池蓋５７及び電池３０を取り外さない限り、下側から視認できないようになっている。
【００３５】
なお、上述のように本実施形態に係る携帯端末１は、電池３（主電源）とは異なる補助電源５を有しており、上述のようにスイッチ４は補助電源５からの電力供給のオンオフを切り替える機能を有している。より詳しくは、スイッチ４の操作部４ａが後述する第１位置にあるときに補助電源５からの電力供給がオフ状態となり、第２位置にあるときに補助電源５からの電力供給がオン状態となるように構成されている。なお、図７に例示される補助電源５は、例えばリチウムイオン電池等の二次電池で構成されているが、これに限らず、コンデンサ等であってもよい。
【００３６】
スイッチ４に設けられた操作部４ａは、開口部５１ａの開口領域に面する第１位置（図２、図４〜図６に示す実線位置）と、第１位置よりも開口部５１ａの開口領域から外れた第２位置（図２、図４〜図６に示す破線位置）とで変位する構成をなしている。この操作部４ａは、第１位置にあるときにはほぼ全体が開口部を介して裏側から視認できるようになっており、開口部５１ａを介して当該開口部５１ａ外部から操作を行うことができる。また、第２位置にあるときには、第１位置よりも多くの部位がケース２の裏側に隠れて外部操作が困難となるように構成されている。なお、本実施形態では、第２位置において操作部４ａの全体がケース２の裏側に隠れるように構成されているが、第２位置において操作部４ａの一部（例えば操作部４ａの中心部を含んだ大部分）がケース２の裏側に隠れるような構成であってもよい。
【００３７】
なお、ケース２における開口部５１ａの開口領域は、図１のように通常使用時においてシール２１によって遮蔽される構成をなしている。このシール２１は、ケース２の底壁部５１に貼り付けられて開口部５１ａを遮蔽する構成をなす一方で、ケース２から取り外されたときに当該ケース２に対して遮蔽解除履歴を残す構成をなしている。具体的には、シール２１は、例えば公知の封印シール（ボイドシール等）によって構成されており、剥がした後に一部がケース２に残存する構成、或いは再貼付できない構成となっている。なお、シール２１は、「遮蔽部材」の一例に相当する。
【００３８】
また、図３、図４、図６に示すように、スイッチ４は、ケース２内に収容される回路基板１０に実装された構成となっている。他方、スイッチ４が実装される回路基板１０は、スイッチ４とケース２との間に配置されて、第２位置での操作部４ａの遮蔽効果を高めている。即ち、スイッチ４は、回路基板１０において、開口部５１ａ側（即ち下側）の板面１０ｂとは反対側（即ち上側）の板面１０ａに実装されており、この板面１０ａに実装されるスイッチ４とケース２の底壁部５１との間に回路基板１０が介在する構成となっている。
【００３９】
また、図４、図６に示すように、回路基板１０は周縁部に切欠部１０ｃが形成されている。この切欠部１０ｃは、回路基板１０の外縁部において板面方向内側に凹む形態で形成されており、スイッチ４は、この切欠部１０ｃに隣接して配置されている。スイッチ４に設けられた操作部４ａは、第１位置において切欠部１０ｃの切欠領域（切欠部１０ｃにおける切り欠かれた内部領域）に面し、第２位置において切欠部１０ｃの周縁部に覆われて隠れる構成となっている。なお、回路基板１０は、「内部部品」の一例に相当するものであり、操作部４ａが第２位置にあるときに当該操作部４ａを覆って隠すように機能する。
【００４０】
更に、本実施形態に係る携帯端末１は、図６のようにケース２が開放されたときに、スイッチ４の第２位置における隠蔽状態が解除され、第２位置から第１位置への操作が可能となるように構成されている。即ち、スイッチ４は、操作部４ａが第２位置にあるときには下方側が回路基板１０及び底壁部５１によって被覆されて外部から隠されており、上方側についてもケース２ａによって覆われて外部から隠されている。図６のようにケース２が開放されたとき（即ち、下ケース２ｂから上ケース２ａが外されたとき）には、スイッチ４の上方側の隠蔽が解除され、回路基板１０の上方側からスイッチ４にアクセスできるようになる。従って、作業者は上方側からスイッチ４にアクセスして第２位置から第１位置へ復帰操作を行うことができる。
【００４１】
また、本実施形態に係る携帯端末１には、ケース２が開封されたか否かを識別するシール６０が設けられている。このシール６０は、例えば公知の封印シール（ボイドシール等）によって構成されており、剥がした後に一部がケース２に残存する構成、或いは再貼付できない構成となっている。なお、このシール６０は、上ケース２ａと下ケース２ｂとに跨るように貼り付けられており、ケース２が未開封のときに第１状態（シール全体が上ケース２ａ及び下ケース２ｂに貼り付けられてシール全部が残存している状態）となり、ケース２が開封されたときに第１状態とは異なる第２状態（シール６０が破れた状態、シール６０が剥がされて一部がケース２に残存した状態、再貼付不能となった状態等）に変化するように構成されている。
なお、本実施形態では、シール６０が「識別手段」の一例に相当する。
【００４２】
上記のように構成される携帯端末１では、操作部４ａが開口部５１ａの開口領域に面する位置（携帯端末１の裏側から見て操作部４ａが開口部５１ａを介して視認できる第１位置）と、開口部５１ａの開口領域から外れた位置（携帯端末１の裏側から見て操作部４ａのほぼ全体（少なくとも過半部分）が開口部５１ａを介して視認できなくなる位置）とで変位するようになっている。第１位置において操作部４ａを操作するには、図４、図５のような長手状かつ板状の操作具７０を開口部５１ａ内に挿入するように用い、図４に示す矢印Ｆ１のように長手状の開口部５１ａに沿った移動操作を行うことにより操作部４ａを第１位置から第２位置にスライドさせることができる（図４の矢印Ｆ２参照）。このように、操作部４ａは、第１位置にあるときには開口部５１ａを介して当該開口部外部から操作を行うことができ、第２位置に移動した後には、ケース２の裏側に隠れて外部操作が困難となる。
【００４３】
以上説明した本実施形態の構成によれば以下のような効果を奏することとなる。
本実施形態の携帯端末１では、ケース２内に収容されたスイッチ４が、ケース２に形成された開口部５１ａの開口領域に面する第１位置と、開口部５１ａの開口領域から少なくとも一部が外れた第２位置とで変位する操作部４ａを備えている。従って、操作部４ａが第１位置にあるときには開口部５１ａを介して操作部４ａにアクセスでき、開口部５１ａ外部からスイッチ４操作を行うことができる。一方、操作部４ａが第２位置にあるときには当該操作部４ａがケース２の裏側に隠れて外部操作困難かつ視認困難となるため、第１位置から第２位置へ切り替わった後には外部操作を効果的に防止できる。
【００４４】
また、操作部４ａが第１位置と第２位置とで往復スライド動作するように構成されている。このようにすれば、操作部４ａを第１位置から第２位置へ切り替える操作を容易に行うことができるようになる。
【００４５】
また、スイッチ４とケース２との間にケース２内に収容される内部部品が介在しており、第２位置において操作部４ａがケース２及び内部部品に覆われて隠れるように構成されている。このようにすれば、ケース２及び内部部品の両方を利用して操作部４ａをアクセス困難とすることができる。
【００４６】
また、スイッチ４が回路基板１０における開口部５１ａ側とは反対側の面１０ｂに実装されており、第２位置において操作部４ａが回路基板１０に覆われて隠れるように構成されている。このようにすれば、特別な遮蔽部材を用いずにスイッチ４が実装される回路基板１０を効果的に利用して不正操作を防止することができる。
【００４７】
また、第１位置において、操作部４ａが切欠部１０ｃの切欠領域に面し、第２位置において、操作部４ａが切欠部１０ｃの周縁部に覆われて隠れるように構成されている。このようにすれば、第１位置において外部操作しやすく、第２位置において外部操作困難かつ視認困難となる構成を、複雑な構成を用いずに簡易に実現できる。
【００４８】
また、ケース２が開放されたときに第２位置での隠蔽状態が解除され、第２位置から第１位置への操作が可能となるように構成されている。このようにすれば、第２位置から第１位置への再復帰が可能となり、必要に応じて第１位置に設定し直すことができる。また、第２位置から第１位置へ復帰操作する際に大掛かりな分解操作が必要となるため、不正操作による簡易な再復帰を抑制しやすくなる。
【００４９】
また、ケース２が開封されたか否かを識別するシール６０（識別手段）が設けられており、このシール６０は、ケース２が未開封のときに第１状態となり、ケース２が開封されたときに第１状態とは異なる第２状態に変化するように構成されている。このようにすれば、第１位置へ復帰させる操作が行われたか否かをシール６０によって容易に判別でき、意図しない不正操作が行われたか否かを迅速かつ容易に察知できる。
【００５０】
また、ケース２において開口部５１ａの開口領域を遮蔽するシール２１（遮蔽部材）が取り付けられており、このシール２１は、ケース２から取り外されたときに当該ケース２に対して遮蔽解除履歴を残す構成となっている。このようにすると、開口部５１ａ側からの不正操作を効果的に抑制でき、仮にシール２１を取り外して不正操作がなされようとした場合であっても、そのような不正操作の事実を後から容易に把握できるようになる。
【００５１】
また、ケース２において電池３（主電源）を収容する電池収容部５０（主電源収容部）が設けられており、電池収容部５０内における電池３に隠される位置に開口部５１ａが形成されている。このようにすれば、開口部５１ａが常に外部に露出するのではなく、電池３の取り外し操作を行って初めて露出するようになるため、より一層不正操作が行われにくくなる。
【００５２】
また、主電源とは異なる補助電源を有しており、補助電源からの電力供給のオンオフを切り替えるようにスイッチ４が構成されている。このような構成のものにおいて、スイッチ４に上記不正操作対策を講ずれば、不正操作によって補助電源からの電力供給をオン又はオフさせたくない構成のものにおいて特に有利となる。
例えば、スイッチによって補助電源からの電力供給のオンオフを切り替える構成の場合、スイッチの不正操作によって補助電源が不正に遮断されると、補助電源によって予定されていた動作が行われなかったり、逆に、補助電源によって予定されていたバックアップ動作が行われずに本来残存させるべきデータが消去されてしまったり等の不具合が生じる虞がある。本実施形態の構成では、補助電源を不正に遮断することが困難であるため、このような問題を効果的に解消できる。
【００５３】
［他の実施形態]
本発明は上記記述及び図面によって説明した実施形態に限定されるものではなく、例えば次のような実施形態も本発明の技術的範囲に含まれる。
【００５４】
上記実施形態では、操作部が往復スライド動作するスイッチ手段を例示したがこれに限られない。例えば、操作部が回動動作するようなスイッチ手段であってもよい。この場合、操作部が第１回動位置にあるときに開口部に面し、第２回動位置にあるときに一部又は全部が開口部から外れるように構成すればよい。
【００５５】
上記実施形態では、回路基板１０に形成された切欠部１０ｃを介して操作部４ａを操作できるように構成したが、このような構成に限られない。例えば、回路基板１０に孔部（例えば矩形状の長孔）を形成し、操作部４ａが第１位置にあるときに孔部を介して操作できるように構成してもよい。
【００５６】
上記実施形態では、補助電源の一例として二次電池を例示したが、これ以外の補助電源であってもよい。例えば、コンデンサなどであってもよい。
【００５７】
上記実施形態では、スイッチとして補助電源からの電力供給をオンオフする機能を有するものを例示したがこのようなものに限られない。例えば何らかの信号（例えばリセット信号）を発するトリガとなるようなスイッチであってもよい。例えば、第２位置から第１位置に操作されたときにリセット信号（例えば記憶手段の内容書替を指示するリセット信号等）を発するようなスイッチであってもよい。
【００５８】
上記実施形態の構成に加え、スイッチ４の操作履歴を記録する履歴記録回路３１を設けるようにしてもよい。履歴記録回路３１は、例えば図８のように構成されており、スイッチ４'は、スイッチ４そのもの、或いはスイッチ４と連動するスイッチとして構成されている。スイッチ４'は、操作部４ａを第１位置に復帰させる操作がなされたときオフ状態となり、このとき履歴記録回路３１は、所定の情報を記憶手段に記憶するように機能する。履歴記録回路３１は、記憶回路３に対して操作部４ａの状態に応じた信号Ｓ１が与えられるようになっており、具体的には、操作部４ａが第１状態となりスイッチ４'がオフ状態となったときに記憶回路３３に対してＨレベル信号が与えられ、スイッチ４'がオン状態のときに記憶回路３に対してＬレベル信号が与えられるように構成されている。
本実施形態では、スイッチ４'の一端が接地されており、スイッチ４'の他端側に抵抗Ｒ１の一端が接続されている。抵抗Ｒ１の他端は電源ラインに接続されている。また、抵抗Ｒ１と並列にダイオードＤ１が接続されている。このダイオードＤ１は、カソード側が抵抗Ｒ１と電源ラインとの間に接続され、抵抗Ｒ１とスイッチ４'とを接続する接続ラインと抵抗Ｒ２の一端との間にアノード側が接続されている。抵抗Ｒ２の他端側にはシュミットトリガインバータＭ１が接続されており、抵抗Ｒ２とシュミットトリガインバータＭ１との間には、コンデンサＣ２の一端側が接続されている。このコンデンサＣ２の他端側は接地されている。シュミットトリガインバータＭ１からの出力ラインにはシュミットトリガインバータＭ２が接続され、この回路Ｍ２からの出力ラインには抵抗Ｒ３を介して記憶回路３３が接続されている。
記憶回路３３は、例えばＥＥＰＲＯＭ等の不揮発性メモリを備えており、信号Ｓ１としてＨレベル信号が入力された事実、或いは信号Ｓ１としてＨレベル信号が入力された回数等を情報として記憶するように構成されている。なお、Ｈレベル信号の出力に応じて不揮発性メモリに情報（例えばフラグ）を記憶したり、Ｈレベル信号の出力回数を不揮発性メモリに記憶する技術は周知技術であるので詳細は省略する。
図８は、履歴記録手段の一例を示しているが、スイッチ４がオフ状態となったときに記憶手段に情報を記録しうる構成であれば図８の構成に限定されないことは言うまでもない。  このようにスイッチ４の操作履歴を記録する履歴記録回路３１（履歴記憶手段）を設けるようにすれば、万が一、スイッチ４に対して不正操作がなされたとしてもその事実を後から確認できるようになる。
【図面の簡単な説明】
【００５９】
【図１】図１は、本発明の第１実施形態に係る携帯端末を概略的に例示する概観図であり、電池蓋及び電池を取り外した状態を裏面側から見た図である。
【図２】図２は、図１からシールを取り外した状態を説明する説明図である。
【図３】図３は、ケース、電池、電池収容部、回路基板の配置を説明する断面概略図である。
【図４】図４は、開口部付近の様子を説明する断面概略図である。
【図５】図５は、電池収容部内を下側から見た概略図である。
【図６】図６は、回路基板及び下ケースの様子を表側から説明する説明図である。
【図７】図７は、電池及び補助電源からの電力供給の様子を概略的に説明する回路図である。
【図８】図８は、履歴記録回路の一例を概略的に示す回路図である。
【符号の説明】
【００６０】
１…携帯端末
２…ケース
３…電池（主電源）
４…スイッチ
４ａ…操作部
５…補助電源
１０…回路基板（内部部品）
１０ｃ…切欠部
２１…シール（遮蔽部材）
３１…履歴記録回路
５０…電池収容部（主電源収容部）
５１ａ…開口部
６０…シール（識別手段）
【図１】
0004798151.tif 000002
【図２】
0004798151.tif 000003
【図３】
0004798151.tif 000004
【図４】
0004798151.tif 000005
【図５】
0004798151.tif 000006
【図６】
0004798151.tif 000007
【図７】
0004798151.tif 000008
【図８】
0004798151.tif 000009